(57)【要約】【課題】実際の在圏状態と在圏情報管理サーバが管理する在圏情報とのアンマッチが発生しても着信を実現する。【解決手段】着信先端末装置２について、複数種類の網での在圏情報を取得する。取得した在圏情報の内容が複数種類の網について在圏である場合、それらの網による接続が可能であることを示すリルーチングフラグと共に、着信先交換装置へ接続要求を送信する。着信先端末装置２への接続が不可である場合に、留守番電話サービスなどの付加サービスの起動を抑制する。着信先端末装置２への接続が不可である場合、接続要求の送信元に向けて、着信先端末装置２への接続が不可であることを示す接続不可応答を返信し、接続要求のリルーチングを指示する。付加サービスの起動を抑制してリルーチングを行うことにより、実際の在圏状態と在圏情報管理サーバが管理する在圏情報とのアンマッチが発生しても着信を実現できる。【選択図】      図１
2008072314.tif 000002
【特許請求の範囲】
【請求項１】
着信先端末装置について、複数種類の網での在圏情報を取得する在圏情報取得手段と、前記在圏情報取得手段によって取得した在圏情報の内容が複数種類の網について在圏である場合、それらの網による接続が可能であることを示すリルーチングフラグと共に、着信先交換装置へ接続要求を送信する接続要求送信手段と、前記着信先交換装置から接続不可応答が返信された場合、該着信先交換装置の属する網とは異なる網に属する着信先交換装置へ、接続要求を送信するリルーチング手段とを含むことを特徴とする交換装置。
【請求項２】
着信先端末装置について取得した在圏情報の内容が複数種類の網について在圏である場合、それらの網による接続が可能であることを示すリルーチングフラグと共に、接続要求を受信する接続要求受信手段と、前記着信先端末装置への接続が不可である場合に、留守番電話サービスなどの付加サービスの起動を抑制する付加サービス起動抑制手段と、前記着信先端末装置への接続が不可である場合に、前記接続要求の送信元に向けて、前記着信先端末装置への接続が不可であることを示す接続不可応答を返信して前記接続要求のリルーチングを指示するリルーチング指示手段とを含むことを特徴とする交換装置。
【請求項３】
着信先端末装置について、複数種類の網での在圏情報を取得する在圏情報取得手段と、前記在圏情報取得手段によって取得した在圏情報の内容が複数種類の網について在圏である場合、それらの網による接続が可能であることを示すリルーチングフラグと共に、着信先交換装置へ接続要求を送信する接続要求送信手段と、前記着信先交換装置から接続不可応答が返信された場合、該着信先交換装置の属する網とは異なる網に属する着信先交換装置へ、接続要求を送信するリルーチング手段とを含む第１の交換装置と、
前記着信先端末装置について取得した在圏情報の内容が複数種類の網について在圏である場合、それらの網による接続が可能であることを示すリルーチングフラグと共に、接続要求を受信する接続要求受信手段と、前記着信先端末装置への接続が不可である場合に、留守番電話サービスなどの付加サービスの起動を抑制する付加サービス起動抑制手段と、前記着信先端末装置への接続が不可である場合に、前記接続要求の送信元に向けて、前記着信先端末装置への接続が不可であることを示す接続不可応答を返信して前記接続要求のリルーチングを指示するリルーチング指示手段とを含む第２の交換装置と、
を備えたことを特徴とする通信システム。
【請求項４】
着信先端末装置について、複数種類の網での在圏情報を取得する在圏情報取得ステップと、前記在圏情報取得ステップにおいて取得した在圏情報の内容が複数種類の網について在圏である場合、それらの網による接続が可能であることを示すリルーチングフラグと共に、着信先交換装置へ接続要求を送信する接続要求送信ステップと、前記着信先端末装置への接続が不可である場合に、留守番電話サービスなどの付加サービスの起動を抑制する付加サービス起動抑制ステップと、前記着信先端末装置への接続が不可である場合に、前記接続要求の送信元に向けて、前記着信先端末装置への接続が不可であることを示す接続不可応答を返信し、前記接続要求のリルーチングを指示するリルーチング指示ステップとを含むことを特徴とする通信制御方法。
【発明の詳細な説明】
【技術分野】
【０００１】
本発明は交換装置、通信システム、通信制御方法に関し、特に複数種類の網による接続が可能な着信先端末装置への接続信号の送信を制御する交換装置、これを用いた通信システム、通信制御方法に関する。
【背景技術】
【０００２】
無線ＬＡＮ（以下、ＷＬＡＮと略称する）による通信機能とＩＭＴ（International Mobile Telecommunication）−２０００に準拠した移動通信方式である携帯電話網による通信機能とを有する端末装置が知られている。このような端末装置を着信側とし、複数の通信網にて着信が可能である状況下において、その端末装置の在圏状態を元に着信先通信網の決定を行うことを考える。
【０００３】
ここで、在圏情報管理サーバが在圏情報をリアルタイムに更新することは困難である。すなわち、在圏情報をリアルタイムに更新することは、通信網に大きな負荷がかかるため、その実現は現実的ではない。また、プリページング処理を行うことも考えられるが、その場合にはユーザ側の負担が大きくなる。
ところで、ＰＨＳ（Personal Handyphone System）移動機が公衆サービスエリアから自営サービスエリアに移動した場合に、ルーチングを行う技術が知られている（例えば、特許文献１参照）。
【特許文献１】特開２０００−３５８２８０号公報
【発明の開示】
【発明が解決しようとする課題】
【０００４】
在圏情報をリアルタイムに更新できないと、実際のユーザの在圏状態と在圏情報管理サーバが管理する在圏情報とのアンマッチが発生することがある。すなわち、着信側端末装置が在圏していると認識して、着信処理を実施しても、実際には圏外にいたため、着信不可となる場合がある。この場合、別の通信網に着信すれば、呼接続が可能となるのであれば、着信機会の喪失となるという問題がある。このような問題は、特許文献１に記載のルーチング技術では解決することができない。
【０００５】
本発明は上述した従来技術の問題点を解決するためになされたものであり、その目的は実際のユーザの在圏状態と在圏情報管理サーバが管理する在圏情報とのアンマッチが発生した場合でも着信を実現できる交換装置、これを用いた通信システム、通信制御方法を提供することである。
【課題を解決するための手段】
【０００６】
本発明の請求項１による交換装置は、着信先端末装置について、複数種類の網での在圏情報を取得する在圏情報取得手段と、前記在圏情報取得手段によって取得した在圏情報の内容が複数種類の網について在圏である場合、それらの網による接続が可能であることを示すリルーチングフラグと共に、着信先交換装置へ接続要求を送信する接続要求送信手段と、前記着信先交換装置から接続不可応答が返信された場合、該着信先交換装置の属する網とは異なる網に属する着信先交換装置へ、接続要求を送信するリルーチング手段とを含むことを特徴とする。このようにリルーチングを行うことにより、実際のユーザの在圏状態と在圏情報管理サーバが管理する在圏情報とのアンマッチが発生した場合でも着信を実現できる。
【０００７】
本発明の請求項２による交換装置は、着信先端末装置について取得した在圏情報の内容が複数種類の網について在圏である場合、それらの網による接続が可能であることを示すリルーチングフラグと共に、接続要求を受信する接続要求受信手段と、前記着信先端末装置への接続が不可である場合に、留守番電話サービスなどの付加サービスの起動を抑制する付加サービス起動抑制手段と、前記着信先端末装置への接続が不可である場合に、前記接続要求の送信元に向けて、前記着信先端末装置への接続が不可であることを示す接続不可応答を返信して前記接続要求のリルーチングを指示するリルーチング指示手段とを含むことを特徴とする。このように、付加サービスの起動を抑制してリルーチングを行うことにより、実際のユーザの在圏状態と在圏情報管理サーバが管理する在圏情報とのアンマッチが発生した場合でも着信を実現できる。
【０００８】
本発明の請求項３による通信システムは、着信先端末装置について、複数種類の網での在圏情報を取得する在圏情報取得手段と、前記在圏情報取得手段によって取得した在圏情報の内容が複数種類の網について在圏である場合、それらの網による接続が可能であることを示すリルーチングフラグと共に、着信先交換装置へ接続要求を送信する接続要求送信手段と、前記着信先交換装置から接続不可応答が返信された場合、該着信先交換装置の属する網とは異なる網に属する着信先交換装置へ、接続要求を送信するリルーチング手段とを含む第１の交換装置（例えば、後述する図１中のＳＩＰサーバ２１に対応）と、
前記着信先端末装置について取得した在圏情報の内容が複数種類の網について在圏である場合、それらの網による接続が可能であることを示すリルーチングフラグと共に、接続要求を受信する接続要求受信手段と、前記着信先端末装置への接続が不可である場合に、留守番電話サービスなどの付加サービスの起動を抑制する付加サービス起動抑制手段と、前記着信先端末装置への接続が不可である場合に、前記接続要求の送信元に向けて、前記着信先端末装置への接続が不可であることを示す接続不可応答を返信して前記接続要求のリルーチングを指示するリルーチング指示手段とを含む第２の交換装置（例えば、後述する図１中のＳＩＰサーバ２２に対応）と、
を備えたことを特徴とする。このように、付加サービスの起動を抑制してリルーチングを行うことにより、実際のユーザの在圏状態と在圏情報管理サーバが管理する在圏情報とのアンマッチが発生した場合でも着信を実現できる。
【０００９】
本発明の請求項４による通信制御方法は、着信先端末装置について、複数種類の網での在圏情報を取得する在圏情報取得ステップ（例えば、後述する図２中のステップＳ１２〜Ｓ１５に対応）と、前記在圏情報取得ステップにおいて取得した在圏情報の内容が複数種類の網について在圏である場合、それらの網による接続が可能であることを示すリルーチングフラグと共に、着信先交換装置へ接続要求を送信する接続要求送信ステップ（例えば、後述する図４中のステップＳ１７、図５中のステップＳ２２に対応）と、前記着信先端末装置への接続が不可である場合に、留守番電話サービスなどの付加サービスの起動を抑制する付加サービス起動抑制ステップ（例えば、後述する図４中のステップＳ１８、図５中のステップＳ２２ａに対応）と、前記着信先端末装置への接続が不可である場合に、前記接続要求の送信元に向けて、前記着信先端末装置への接続が不可であることを示す接続不可応答を返信し、前記接続要求のリルーチングを指示するリルーチング指示ステップ（例えば、後述する図４中のステップＳ２０、図５中のステップＳ２２ｄに対応）とを含むことを特徴とする。このように、付加サービスの起動を抑制してリルーチングを行うことにより、実際のユーザの在圏状態と在圏情報管理サーバが管理する在圏情報とのアンマッチが発生した場合でも着信を実現できる。
【発明の効果】
【００１０】
本発明によれば、着信先端末装置への接続が不可である場合に、留守番電話サービスなどの付加サービスの起動を抑制し、接続要求の送信元に向けて、接続不可応答を返信し、接続要求のリルーチングを指示することにより、実際のユーザの在圏状態と在圏情報管理サーバが管理する在圏情報とのアンマッチが発生した場合でも着信を実現できるという効果がある。
【発明を実施するための最良の形態】
【００１１】
以下、本発明の実施の形態を、図面を参照して説明する。なお、以下の説明において参照する各図では、他の図と同等部分は同一符号によって示されている。
（システム全体の構成）
図１は本発明の実施形態による交換装置が採用された通信システムの構成例を示すブロック図である。同図において、着信側端末装置２は、ＷＬＡＮ、携帯電話網、のそれぞれの呼について着信できる機能を有している。
【００１２】
ＷＬＡＮの発信側端末装置１から接続信号が送信されると、発信側のＳＩＰ（Session Initiation Protocol）サーバ２１がそれを受信する（ステップＳ１１）。ＳＩＰサーバ２１は、ＷＬＡＮ用の在圏情報管理サーバ３１へ、着信側端末装置２についての在圏情報問合せを行う（ステップＳ１２）。この在圏情報問合せを受信した在圏情報管理サーバ３１は、携帯電話網用の在圏情報管理サーバ３２に在圏情報問合せを行い、在圏情報を取得する（ステップＳ１３ａ）。それと同時に、在圏情報管理サーバ３１は、他の通信網用の在圏情報管理サーバ３３に在圏情報問合せを行い、在圏情報を取得する（ステップＳ１３ｂ）。本例では、携帯電話網に「在圏」、他の通信網に「非在圏」という在圏情報を取得したものとする。
【００１３】
これらの在圏情報を取得した在圏情報管理サーバ３１は、取得した在圏情報を元に転送先ドメインを決定する（ステップＳ１４）。本例では、転送先ドメインを「ＷＬＡＮ」として決定する。その後、在圏情報管理サーバ３１は、決定した転送先ドメインをＳＩＰサーバ２１に通知する（ステップＳ１５）。この転送先ドメインの通知の際、別の在圏通信網が存在した場合、それをリルーチング可能情報としてＳＩＰサーバ２１に通知する。本例では、着ドメイン「ＷＬＡＮ」の他、リルーチング「携帯電話網」（第１優先）、リルーチング「ＸＸＸＸ網」（第２優先）、をＳＩＰサーバ２１に通知する。さらに本例では、付加サービスを提供する通信網に関する情報として「携帯電話網」をＳＩＰサーバ２１に通知する。
【００１４】
転送先ドメインの通知等を受信したＳＩＰサーバ２１は、リルーチング情報を記憶保持する（ステップＳ１６）。その後、ＳＩＰサーバ２１は、接続要求信号をＳＩＰサーバ２２へ送信する（ステップＳ１７）。この接続要求信号には、リルーチング可能フラグが含まれている。この接続要求信号を受信したＳＩＰサーバ２２は、リルーチング可能フラグが含まれている場合に、着信側端末装置２が圏外であっても付加サービスの起動を行わないことを認識する（ステップＳ１８）。ＳＩＰサーバ２２は、ＷＬＡＮ内の着信側端末装置２へ接続要求信号を送信する（ステップＳ１９）。
【００１５】
本例では、着信側端末装置２が実際には圏外であったとする。この場合、本来は留守番電話サービス等の付加サービスが起動される。しかしながら、上述したように、ＳＩＰサーバ２２がＳＩＰサーバ２１から受信した接続信号には、リルーチング可能フラグが含まれているため、付加サービスの起動は行われない。そして、ＳＩＰサーバ２２は、圏外である旨及びリルーチング指示を、発信側通信網のＳＩＰサーバ２１へ通知する（ステップＳ２０）。
【００１６】
圏外である旨及びリルーチング指示の通知を受けたＳＩＰサーバ２１は、第１優先すなわち「携帯電話網」のリルーチング先へのリルーチング処理を行う（ステップＳ２１）。本例では、携帯電話網のＭＳＣ（Mobile Services Switching Center）２３を介してリルーチング処理が行われる（ステップＳ２２）。本例では、着信側端末装置２が在圏であるため、その後通話等が行われる。なお、全ての接続先について圏外である場合には、着信側端末装置２のユーザが付加サービスを起動させたい通信網において付加サービスを起動する（ステップＳ２３）。
要するに、本通信システムでは、着信先の網を判別して着信処理を実施する場合に、リルーチング処理を行っている。そして、リルーチング処理の際には、フラグの有無等に従って、付加サービスを抑制している。
【００１７】
（処理シーケンス）
次に、以上の処理について、シーケンス図等を参照して説明する。図２、図４〜６は、図１中の各装置間の信号授受を示すシーケンス図である。これらの図には、発信側端末装置１、発信側のＳＩＰサーバ２１、在圏情報管理サーバ３１、在圏情報管理サーバ３２、在圏情報管理サーバ３３、着信側のＳＩＰサーバ２２、ＭＳＣ２３、及び、着信側端末装置２、の間で授受される信号等が示されている。
【００１８】
図２において、発信側端末装置１からＳＩＰサーバ２１に向けて接続要求信号が送信される（ステップＳ１１）。この接続要求信号を受信したＳＩＰサーバ２１は、ＷＬＡＮ用の在圏情報管理サーバ３１へ、着信側端末装置２についての在圏情報問合せを行う（ステップＳ１２）。この在圏情報問合せを受信した在圏情報管理サーバ３１は、契約状態を確認する（ステップＳ１２ａ）。ここでは、携帯電話網の契約及び他の通信網の契約が行われている点を確認する。
【００１９】
このため、在圏情報管理サーバ３１は、携帯電話網用の在圏情報管理サーバ３２に在圏情報問合せを送信し（ステップＳ１３ａ）、その応答として在圏情報確認応答を取得する（ステップＳ１３ａ’）。それと同時に、在圏情報管理サーバ３１は、他の通信網用の在圏情報管理サーバ３３に在圏情報問合せを送信し（ステップＳ１３ｂ）、その応答として在圏情報確認応答を取得する（ステップＳ１３ｂ’）。本例では、携帯電話網に「在圏」、他の通信網に「非在圏」という在圏情報を取得したものとする。
【００２０】
これらの在圏情報を取得した在圏情報管理サーバ３１は、取得した在圏情報を元に転送先ドメイン（すなわち着ドメイン）を決定する（ステップＳ１４）。この場合、優先着信先ネットワーク及びリルーチング可否を判定し、さらに優先付加サービスを起動する網を判定する。例えば、図３に示されているように、優先着信先ネットワークについて、ユーザ設定値として「ＷＬＡＮ」、「携帯電話網」、「他の通信網」、の順序で設定され、「リルーチング可」、付加サービス起動ネットワークとして「ＷＬＡＮ」が設定される。
【００２１】
図２に戻り、在圏情報管理サーバ３１は、着信先ネットワークを通知するため（ステップＳ１４ａ）、在圏情報確認応答を通知する（ステップＳ１５）。この場合、着ドメインが「ＷＬＡＮ」、リルーチングの第１優先が「携帯電話網」であることを通知する。上記の他網については、圏外であったため、リルーチングの対象にはならない。また、付加サービス起動は携帯電話網にて行う旨が通知される。
これらを受信したＳＩＰサーバ２１では、着信ネットワークへの接続要求信号ルーチング、リルーチング先ネットワーク情報、付加サービス起動ネットワーク情報、を保持する（ステップＳ１６）。
【００２２】
ここでは、例えば、以下の情報を保持する。すなわち、リルーチングの実施有無の保持、リルーチングを行う場合、リルーチングの優先順位情報（例えば、第１優先＝携帯電話網、第２優先＝ＷＬＡＮ）の保持、付加サービス起動ネットワーク（＝携帯電話網）の保持、である。なお、「付加サービス起動ネットワーク」とは、リルーチングを行ったが、どのネットワークでも着信ができなかった場合に付加サービスを起動させたいネットワークで付加サービス起動を行うための設定を指す。
【００２３】
次に、図４に移行し、ＳＩＰサーバ２１は、接続要求信号をＳＩＰサーバ２２へ送信する（ステップＳ１７）。この接続要求信号には、リルーチング可能フラグが含まれている。また、付加サービス起動ネットワークが「有り」、という情報が含まれている。
なお、リルーチングが不可の場合には、リルーチング可能フラグ自体が含まれないのが望ましい。すなわち、リルーチング可能フラグは、例えば、接続信号のパケット中の特定部分が「０」又は「１」に設定されることによって実現することができる。そして、リルーチング可能フラグが含まれていない場合は、既存の着信処理が起動される（つまり、リルーチングを行わない）。このことを考慮すると、リルーチングを行わない場合は、このフラグ自体が含まれないことが望ましい。
【００２４】
この接続要求信号を受信したＳＩＰサーバ２２は、リルーチング可能フラグが含まれている場合に、着信側端末装置２が圏外であっても付加サービスの起動を行わないことを認識する（ステップＳ１８）。ＳＩＰサーバ２２は、ＷＬＡＮ内の着信側端末装置２へ接続要求信号を送信する（ステップＳ１９）。
本例では、着信側端末装置２が実際には圏外であったとする。このため、着信側端末装置２への着信は不可となる（ステップＳ１９ａ）。ここで、ＳＩＰサーバ２２がＳＩＰサーバ２１から受信した接続要求信号には、リルーチング可能フラグが含まれているため、ＳＩＰサーバ２２は、圏外である旨及びリルーチング指示を、発信側通信網のＳＩＰサーバ２１へ通知する（ステップＳ２０）。
【００２５】
この通知を受けたＳＩＰサーバ２１は、第１優先すなわち「携帯電話網」のリルーチング先へのリルーチング処理を行う（ステップＳ２１）。このとき、付加サービスを起動する網が指定されている場合は、リルーチング可能フラグが設定される。一方、付加サービスを起動する網が設定されていない場合、又は携帯電話網で付加サービスを起動する網が指定されておらずリルーチング可能な網が無い場合は、リルーチング可能フラグは設定されない。
【００２６】
ここで、付加サービス起動網の指定がある場合、処理は図５に移行する。同図において、ＳＩＰサーバ２１は、ＭＳＣ２３へ接続要求信号を送信する（ステップＳ２２）。ここで、リルーチング可能フラグがリルーチング可として設定されていれば、ＭＳＣ２３は、付加サービスの起動は行わないことを認識する（ステップＳ２２ａ）。そして、ＭＳＣ２３から接続要求信号が送信され、着信側端末装置２が在圏していれば、その後通話等が行われる。
【００２７】
これに対し、接続要求信号が送信されても着信側端末装置２が圏外であれば、着信不可となる（ステップＳ２２ｂ、Ｓ２２ｃ）。この場合、ＭＳＣ２３は、ＳＩＰサーバ２１へ圏外通知を送信する（ステップＳ２２ｄ）。この通知を受信したＳＩＰサーバ２１は、指定されている網で付加サービスを起動するため、接続要求信号を送信する（ステップＳ２３、Ｓ２３ａ）。本例では、ＳＩＰサーバ２２において、付加サービスが起動される（ステップＳ２３ｂ）。
【００２８】
一方、付加サービス起動網の指定が無い場合、処理は図６に移行する。同図において、ＳＩＰサーバ２１は、ＭＳＣ２３へ接続要求信号を送信する（ステップＳ２２）。ここでは、リルーチング可能フラグが設定されていないので、ＭＳＣ２３から接続要求信号が送信され、着信側端末装置２が在圏していれば、その後通話等が行われる。
これに対し、接続要求信号が送信されても着信側端末装置２が圏外であれば、着信不可となる（ステップＳ２２ｂ、Ｓ２２ｃ）。この場合、ＭＳＣ２３において、付加サービスが起動される（ステップＳ２３ｂ）。
なお、以上は、発信側のネットワークがＷＬＡＮである場合について説明したが、この場合に限定されるものではなく、発信側のネットワークが携帯電話網や他の網であっても本発明が適用できる。
【００２９】
（ＳＩＰサーバ）
上述した通信システムを構成するＳＩＰサーバは、一般的なサーバ装置を用いて構成することができる。そして、ＳＩＰサーバ２１は、以下の機能を有している。すなわち、図７に示されているように、着信先端末装置について、複数種類の網での在圏情報を取得する在圏情報取得手段２１１と、上記在圏情報取得手段２１１によって取得した在圏情報の内容が複数種類の網について在圏である場合、それらの網による接続が可能であることを示すリルーチングフラグと共に、着信先交換装置へ接続要求を送信する接続要求送信手段２１２と、上記着信先交換装置から接続不可応答が返信された場合、該着信先交換装置の属する網とは異なる網に属する着信先交換装置へ、接続要求を送信するリルーチング手段２１３とを含んで構成されている。
【００３０】
一方、ＳＩＰサーバ２２は、以下の機能を有している。すなわち、図８に示されているように、着信先端末装置について取得した在圏情報の内容が複数種類の網について在圏である場合、それらの網による接続が可能であることを示すリルーチングフラグと共に、接続要求を受信する接続要求受信手段２２１と、上記着信先端末装置への接続が不可である場合に、留守番電話サービスなどの付加サービスの起動を抑制する付加サービス起動抑制手段２２２と、上記着信先端末装置への接続が不可である場合に、上記接続要求の送信元に向けて、上記着信先端末装置への接続が不可であることを示す接続不可応答を返信して上記接続要求のリルーチングを指示するリルーチング指示手段２２３とを含んで構成されている。
以上のようなＳＩＰサーバ２１及び２２を用いて通信システムを構成し、付加サービスの起動を抑制してリルーチングを行うことにより、実際のユーザの在圏状態と在圏情報管理サーバが管理する在圏情報とのアンマッチが発生した場合でも着信を実現できる。
【００３１】
（通信制御方法）
上述した通信システムにおいては、以下のような通信制御方法が実現されている。すなわち、着信先端末装置について、複数種類の網での在圏情報を取得する在圏情報取得ステップ（例えば、図２中のステップＳ１２〜Ｓ１５に対応）と、前記在圏情報取得ステップにおいて取得した在圏情報の内容が複数種類の網について在圏である場合、それらの網による接続が可能であることを示すリルーチングフラグと共に、着信先交換装置へ接続要求を送信する接続要求送信ステップ（例えば、図４中のステップＳ１７、図５中のステップＳ２２に対応）と、前記着信先端末装置への接続が不可である場合に、留守番電話サービスなどの付加サービスの起動を抑制する付加サービス起動抑制ステップ（例えば、図４中のステップＳ１８、図５中のステップＳ２２ａに対応）と、前記着信先端末装置への接続が不可である場合に、前記接続要求の送信元に向けて、前記着信先端末装置への接続が不可であることを示す接続不可応答を返信し、前記接続要求のリルーチングを指示するリルーチング指示ステップ（例えば、図４中のステップＳ２０、図５中のステップＳ２２ｄに対応）とを含む通信制御方法が実現されている。
このように、付加サービスの起動を抑制してリルーチングを行うことにより、実際のユーザの在圏状態と在圏情報管理サーバが管理する在圏情報とのアンマッチが発生した場合でも着信を実現できる。
【産業上の利用可能性】
【００３２】
本発明は、複数種類の網による接続が可能な着信先端末装置への接続信号の送信を制御する場合に利用できる。
【図面の簡単な説明】
【００３３】
【図１】本発明の実施の形態に係る交換装置を用いた通信システムの構成例を示すブロック図である。
【図２】図１中の各装置間の信号授受を示すシーケンス図である。
【図３】優先着信先ネットワーク及びリルーチング可否、優先付加サービスを起動する網、についての判定内容を示す図である。
【図４】図１中の各装置間の信号授受を示すシーケンス図である。
【図５】図１中の各装置間の信号授受を示すシーケンス図である。
【図６】図１中の各装置間の信号授受を示すシーケンス図である。
【図７】図１中のＳＩＰサーバ２１の構成例を示すブロック図である。
【図８】図１中のＳＩＰサーバ２２の構成例を示すブロック図である。
【符号の説明】
【００３４】
１  発信側端末装置
２  着信側端末装置
２１、２２  ＳＩＰサーバ
３１、３２、３３  在圏情報管理サーバ
２１１  在圏情報取得手段
２１２  接続要求送信手段
２１３  リルーチング手段
２２１  接続要求受信手段
２２２  付加サービス起動抑制手段
２２３  リルーチング指示手段
【図１】
2008072314.tif 000003
【図２】
2008072314.tif 000004
【図３】
2008072314.tif 000005
【図４】
2008072314.tif 000006
【図５】
2008072314.tif 000007
【図６】
2008072314.tif 000008
【図７】
2008072314.tif 000009
【図８】
2008072314.tif 000010